(57)【特許請求の範囲】
【請求項１】
作業機械のフェンダーアセンブリであって、
ラッチ凹部と、ユーザ側開口と、前記ラッチ凹部中に配置されたラッチ側開口とを有する第１パネルを有し、作動位置とアクセス位置との間で位置付け可能なフェンダーボディと；
前記ラッチ凹部中に位置し、前記フェンダーボディが前記作動位置に固定されるロック位置と、前記フェンダーボディが前記作動位置と前記アクセス位置との間で移動するのを許容する解放位置との間で位置付け可能なラッチアセンブリと；
前記ユーザ側開口及び前記ラッチ側開口を通して、前記フェンダーボディの前記第１パネルの上方に配置されているユーザ側位置から前記ラッチ凹部中に配置されているラッチ側位置に伸長する、前記ラッチアセンブリを前記ロック位置と前記解放位置との間で移動するアクチュエータとを具備し；
前記フェンダーボディは前記第１パネルから離間してアクチュエータ室を画成する第２パネルを更に有しており、
前記アクチュエータは前記ユーザ側開口と前記ラッチ側開口との間に伸長する中間部分を含んでおり、
前記中間部分は前記アクチュエータ室中に配置されていることを特徴とする作業機械のフェンダーアセンブリ。
【請求項２】
作業機械のフェンダーアセンブリであって、
ラッチ凹部と、ユーザ側開口と、前記ラッチ凹部中に配置されたラッチ側開口とを有する第１パネルを有し、作動位置とアクセス位置との間で位置付け可能なフェンダーボディと；
前記ラッチ凹部中に位置し、前記フェンダーボディが前記作動位置に固定されるロック位置と、前記フェンダーボディが前記作動位置と前記アクセス位置との間で移動するのを許容する解放位置との間で位置付け可能なラッチアセンブリと；
前記ユーザ側開口及び前記ラッチ側開口を通して、前記フェンダーボディの前記第１パネルの上方に配置されているユーザ側位置から前記ラッチ凹部中に配置されているラッチ側位置に伸長する、前記ラッチアセンブリを前記ロック位置と前記解放位置との間で移動するアクチュエータと；
前記ラッチ凹部の上に固定された凹部カバーと；
を具備したことを特徴とする作業機械のフェンダーアセンブリ。
【請求項３】
作業機械のフェンダーアセンブリであって、
ラッチ凹部と、ユーザ側開口と、前記ラッチ凹部中に配置されたラッチ側開口とを有する第１パネルを有し、作動位置とアクセス位置との間で位置付け可能なフェンダーボディと；
前記ラッチ凹部中に位置し、前記フェンダーボディが前記作動位置に固定されるロック位置と、前記フェンダーボディが前記作動位置と前記アクセス位置との間で移動するのを許容する解放位置との間で位置付け可能なラッチアセンブリと；
前記ユーザ側開口及び前記ラッチ側開口を通して、前記フェンダーボディの前記第１パネルの上方に配置されているユーザ側位置から前記ラッチ凹部中に配置されているラッチ側位置に伸長する、前記ラッチアセンブリを前記ロック位置と前記解放位置との間で移動するアクチュエータとを具備し；
前記アクチュエータは前記ユーザ側開口及び前記ラッチ側開口を通して、前記ユーザ側位置から前記ラッチ側位置に伸長するロッドを含んでいることを特徴とする作業機械のフェンダーアセンブリ。
【請求項４】
作業機械のフェンダーアセンブリであって、
ラッチ凹部と、ユーザ側開口と、前記ラッチ凹部中に配置されたラッチ側開口とを有する第１パネルを有し、作動位置とアクセス位置との間で位置付け可能なフェンダーボディと；
前記ラッチ凹部中に位置し、前記フェンダーボディが前記作動位置に固定されるロック位置と、前記フェンダーボディが前記作動位置と前記アクセス位置との間で移動するのを許容する解放位置との間で位置付け可能なラッチアセンブリと；
前記ユーザ側開口及び前記ラッチ側開口を通して、前記フェンダーボディの前記第１パネルの上方に配置されているユーザ側位置から前記ラッチ凹部中に配置されているラッチ側位置に伸長する、前記ラッチアセンブリを前記ロック位置と前記解放位置との間で移動するアクチュエータとを具備し；
前記アクチュエータはユーザ端部分とラッチ端部分を含んでおり、
前記ラッチ端部分は前記ラッチアセンブリに固定されており、
前記ユーザ端部分は前記フェンダーボディの第１パネルの上方に配置されており、
前記ラッチ端部分は前記ラッチ凹部中に位置付けされていることを特徴とする作業機械のフェンダーアセンブリ。
【請求項５】
前記フェンダーボディの前記第１パネルはユーザ凹部を有しており、
前記ユーザ側開口は前記ユーザ凹部中に配置されており、
前記アクチュエータの前記ユーザ端部分は前記ユーザ凹部中に配置されていることを特徴とする請求項４記載の作業機械のフェンダーアセンブリ。
【請求項６】
前記フェンダーボディの前記第１パネルは把持凹部を有しており、
前記把持凹部は前記ユーザ凹部に隣接して配置されており、これによりユーザの指が前記把持凹部中に、ユーザの親指が前記アクチュエータのユーザ端部分に位置付け可能であることを特徴とする請求項５記載の作業機械のフェンダーアセンブリ。
【請求項７】
シューブロック及びガイド部材を更に具備しており；
前記フェンダーボディはシュー凹部を更に有しており、
前記シューブロックは前記シュー凹部中に固定されており、
前記ガイド部材は前記作業機械に固定されており、
前記ガイド部材はガイドチャネルを有しており、
前記フェンダーボディが前記作動位置に位置付けされたときには、前記シューブロックは前記ガイドチャネル中に位置付けされ、
前記フェンダーボディが前記アクセス位置に位置付けされたときには、前記シューブロックは前記ガイドチャネルから離間していることを特徴とする請求項１記載の作業機械のフェンダーアセンブリ。
【請求項８】
作業機械のフェンダーアセンブリであって、
ラッチ凹部と、ユーザ側開口と、前記ラッチ凹部中に配置されたラッチ側開口とを有する上部パネルと、前記上部パネルから離間されてアクチュエータ室を画成する下部パネルとを有し、作動位置とアクセス位置との間で位置付け可能なフェンダーボディと；
前記ラッチ凹部中に位置し、前記フェンダーボディが前記作動位置に固定されるロック位置と、前記フェンダーボディが前記作動位置と前記アクセス位置との間で移動するのを許容する解放位置との間で位置付け可能なラッチアセンブリと；
前記ユーザ側開口及び前記ラッチ側開口を通して、前記フェンダーボディの前記上部パネルの上方に配置されたユーザ側位置から前記ラッチ凹部中に配置されたラッチ側位置に伸長する、前記ラッチアセンブリを前記ロック位置と前記解放位置との間で移動するアクチュエータとを具備し；
前記アクチュエータは更に中間部分と、ユーザ端部分と、ラッチ端部分を含んでおり、前記中間部分は前記ユーザ側開口と前記ラッチ側開口との間に伸長して前記アクチュエータ室中に配置されており、前記ラッチ端部分は前記ラッチアセンブリに固定されており、前記ユーザ端部分は前記フェンダーボディの前記上部パネルの上方に配置されていることを特徴とする作業機械のフェンダーアセンブリ。
【請求項９】
前記ラッチ凹部の上に固定された凹部カバーを更に具備したことを特徴とする請求項８記載の作業機械のフェンダーアセンブリ。
【請求項１０】
前記アクチュエータは前記ユーザ側開口及び前記ラッチ側開口を通して、前記ユーザ側位置から前記ラッチ側位置に伸長するロッドを含んでいることを特徴とする請求項８記載の作業機械のフェンダーアセンブリ。
【請求項１１】
前記ラッチ端部分は前記ラッチ凹部中に配置されていることを特徴とする請求項８記載の作業機械のフェンダーアセンブリ。
【請求項１２】
前記フェンダーボディの前記上部パネルはユーザ凹部を有しており、
前記ユーザ側開口は前記ユーザ凹部中に配置されており、
前記アクチュエータの前記ユーザ端部分は前記ユーザ凹部中に配置されていることを特徴とする請求項１１記載の作業機械のフェンダーアセンブリ。
【請求項１３】
前記フェンダーボディの前記上部パネルは把持凹部を有しており、
前記把持凹部は前記ユーザ凹部に隣接して配置されており、これによりユーザの指が前記把持凹部中に位置付けされ、親指が前記アクチュエータの前記ユーザ端部分に位置付けされることを特徴とする請求項１２記載の作業機械のフェンダーアセンブリ。
【請求項１４】
シューブロック及びガイド部材を更に具備しており；
前記フェンダーボディはシュー凹部を更に有しており、
前記シューブロックは前記シュー凹部中に固定されており、
前記ガイド部材は前記作業機械に固定されており、
前記ガイド部材はガイドチャネルを有しており、
前記フェンダーボディが前記作動位置に位置付けされたときには、前記シューブロックは前記ガイドチャネル中に位置付けされ、
前記フェンダーボディが前記アクセス位置に位置付けされたときには、前記シューブロックは前記ガイドチャネルから離間されていることを特徴とする請求項８記載の作業機械のフェンダーアセンブリ。
【請求項１５】
作業機械であって、
ラッチ凹部と、ユーザ側開口と、前記ラッチ凹部中に配置されたラッチ側開口とを有する第１パネルを有し、作動位置とアクセス位置との間で位置付け可能なフェンダーボディと；
前記ラッチ凹部中に位置し、前記フェンダーボディが前記作動位置に固定されるロック位置と、前記フェンダーボディが前記作動位置と前記アクセス位置との間で移動するのを許容する解放位置との間で位置付け可能なラッチアセンブリと；
前記ユーザ側開口及び前記ラッチ側開口を通して、前記フェンダーボディの前記第１パネルの上に配置されたユーザ側位置から前記ラッチ凹部中に配置されたラッチ側位置に伸長する、前記ラッチアセンブリを前記ロック位置と前記解放位置との間で移動するアクチュエータと；
前記ラッチ凹部の上に固定された凹部カバーと；
前記フェンダーボディに形成されたシュー凹部中に固定されたシューブロックと；
構造部材と；
前記構造部材に固定されたガイド部材とを具備し；
前記フェンダーボディが前記作動位置に位置付けされたときには、前記フェンダーボディは前記構造部材に固定され、前記フェンダーボディが前記アクセス位置に位置付けされたときには、前記フェンダーボディは前記構造部材から離間され；
前記ガイド部材はガイドチャネルを有しており、前記フェンダーボディが前記作動位置に位置付けされたときには、前記シューブロックが前記ガイドチャネル中に位置付けされ、前記フェンダーボディが前記アクセス位置に位置付けされたときには、前記シューブロックが前記ガイドチャネルから離間されていることを特徴とする作業機械。
【請求項１６】
前記フェンダーボディは前記第１パネルから離間されてアクチュエータ室を画成する第２パネルを更に有しており、
前記アクチュエータは前記ユーザ側開口と前記ラッチ側開口との間に伸長する中間部分を含んでおり、
前記中間部分は前記アクチュエータ室中に配置されていることを特徴とする請求項１５記載の作業機械。
【請求項１７】
前記アクチュエータは、前記ユーザ側開口及び前記ラッチ該開口を通して前記ユーザ側位置から前記ラッチ側位置に伸長するロッドを含んでいることを特徴とする請求項１５記載の作業機械。
【請求項１８】
前記アクチュエータはユーザ端部分とラッチ端部分を含んでおり、
前記ラッチ端部分は前記ラッチアセンブリに固定されており、
前記ユーザ端部分は前記フェンダーボディの前記第１パネル上に配置されており、
前記ラッチ端部分は前記ラッチ凹部中に配置されていることを特徴とする請求項１５記載の作業機械。
【発明の詳細な説明】
【０００１】
【発明の属する技術分野】
本発明は一般的に作業機械のフェンダーアセンブリに関し、特に、フェンダーボディの上側に画成された凹部中に位置付けされたラッチ機構を有する作業機械の回動フェンダーアセンブリに関する。
【０００２】
【従来の技術】
例えばホイールローダのような多くの作業機械は、作動中に作業機械の車輪からの泥、土、又は他の型の破片が投げ飛ばされるのを防止するフェンダーアセンブリを含んでいる。作業機械に関連した数多くの部品にアクセスするために、しばしばフェンダーアセンブリを取り外す必要がある。
【０００３】
故に、フェンダーアセンブリ近辺の作業機械の構成部品にアクセスする必要があるときに、フェンダーアセンブリが移動できるのを許容するために、フェンダーアセンブリが作業機械のフレームに対して回動できる数多くの回動フェンダーアセンブリが設計されている。
【０００４】
このような回動フェンダーアセンブリは通常第１端部にピボット（枢軸）継ぎ手を有し、第２端部にラッチ機構を有している。ラッチ機構のロックが解除されると、フェンダーアセンブリはピボット継ぎ手周りに自由に回動し、フェンダーアセンブリが作業機械のフレームアセンブリに対して移動するのを許容する。しかし、もしラッチ機構がロックされると、フェンダーアセンブリの第２端部は作業機械にラッチ、即ち固定されてしまうことになる。
【０００５】
このようなラッチ機構は通常作動するのに困難な場所に位置付けされているばかりでなく、ラッチ機構を荒々しい環境に晒してラッチ機構の有効寿命を減少させることになる。
【０００６】
例えば、今までに設計された数多くのフェンダーアセンブリは、フェンダーアセンブリの下側近辺に位置付けされたラッチ機構を含んでおり、これによりラッチ機構を作動するのを困難にしている。
【０００７】
加えるに、フェンダーアセンブリの下側に位置付けされたときには、ラッチ機構は作業機械の車輪が遭遇する泥、土、及びその他の破片に晒され、これによりラッチ機構の有効寿命が減少させられることになる。
【０００８】
よって、上述した欠点の１つあるいは複数を解決した作業機械のフェンダーアセンブリが要望されている。
【０００９】
【発明の開示】
本発明の第１の実施形態によると、作業機械のフェンダーアセンブリが提供される。フェンダーアセンブリは第１パネルを有するフェンダーボディを含んでいる。フェンダーボディは作動位置とアクセス位置との間で位置付け可能である。
【００１０】
第１パネルはラッチ凹部を有している。第１パネルは更に、ユーザ側開口とラッチ側開口を有している。ラッチ側開口はラッチ凹部中に配置されている。フェンダーアセンブリは更に、ラッチ凹部中に位置付けされたラッチアセンブリを含んでいる。
【００１１】
ラッチアセンブリは、（１）フェンダーボディが作動位置に固定されたロック位置と、（２）フェンダーボディが作動位置とアクセス位置との間で移動可能な解放位置との間で位置付け可能である。
【００１２】
フェンダーアセンブリは更に、ラッチアセンブリをロック位置と解放位置との間で移動するアクチュエータを含んでいる。アクチュエータはユーザ側開口及びラッチ側開口を通して、ユーザ側位置からラッチ側位置に伸長している。ユーザ側位置はフェンダーボディの第１パネル上に配置されている。ラッチ側位置はラッチ凹部中に配置されている。
【００１３】
本発明の第２実施形態によると、作業機械のフェンダーアセンブリが提供される。フェンダーアセンブリは上部パネル及び下部パネルを有するフェンダーボディを含んでいる。
【００１４】
フェンダーボディは作動位置とアクセス位置との間で位置付け可能である。上部パネルはラッチ凹部を有している。上部パネルは更に、ユーザ側開口とラッチ側開口を有している。
【００１５】
ラッチ側開口はラッチ凹部中に配置されている。下部パネルは上部パネルから離間されてアクチュエータ室を画成している。フェンダーアセンブリは更に、ラッチ凹部中に位置付けされたラッチアセンブリを含んでいる。
【００１６】
ラッチアセンブリは、（１）フェンダーボディが作動位置に固定されたロック位置と、（２）フェンダーボディが作動位置とアクセス位置との間で移動可能な解放位置との間で位置付け可能である。
【００１７】
更に、フェンダーアセンブリはラッチアセンブリをロック位置と解放位置との間で移動するアクチュエータを含んでいる。アクチュエータはユーザ側開口及びラッチ側開口を通して、ユーザ側位置からラッチ側位置に伸長している。
【００１８】
ユーザ側位置はフェンダーボディの上部パネル上に配置されている。ラッチ側位置はラッチ凹部中に配置されている。アクチュエータは更に、中間部分と、ユーザ端部分と、ラッチ端部分を含んでいる。
【００１９】
中間部分はユーザ側開口とラッチ側開口の間に伸長し、アクチュエータ室中に配置されており、ラッチ端部分はラッチアセンブリに固定され、ユーザ端部分はフェンダーボディの上部パネル上に配置されている。
【００２０】
本発明の第３実施形態によると、作業機械が提供される。作業機械は第１パネルを有するフェンダーボディを含んでいる。フェンダーボディは作動位置とアクセス位置との間で位置付け可能である。
【００２１】
第１パネルはラッチ凹部を有している。第１パネルは更に、ユーザ側開口及びラッチ側開口を有している。ラッチ側開口はラッチ凹部中に配置されている。作業機械は更に、ラッチ凹部中に配置されたラッチアセンブリを含んでいる。
【００２２】
ラッチアセンブリは、（１）フェンダーボディが作動位置に固定されたロック位置と、（２）フェンダーボディが作動位置とアクセス位置との間で移動可能な解放位置との間で位置付け可能である。
【００２３】
作業機械は更に、ラッチアセンブリをロック位置と解放位置との間で移動するアクチュエータを含んでいる。アクチュエータはユーザ側開口及びラッチ側開口を通して、ユーザ側位置からラッチ側位置に伸長している。
【００２４】
ユーザ側位置はフェンダーボディの第１パネル上に配置されている。ラッチ側位置はラッチ凹部中に配置されている。作業機械は更に、ラッチ凹部上に固定された凹部カバーを含んでいる。
【００２５】
作業機械は更にシューブロックを含んでいる。フェンダーボディは更にシュー凹部を有しており、シューブロックはシュー凹部中に固定されている。更に、作業機械は構造部材を含んでいる。
【００２６】
フェンダーボディが作動位置に位置付けされるときには、フェンダーボディは構造部材に固定され、フェンダーボディがアクセス位置に位置付けされるときには、フェンダーボディは構造部材から離間させられる。
【００２７】
作業機械は更にガイド部材を含んでいる。ガイド部材は構造部材に固定されている。ガイド部材はガイドチャネルを有している。フェンダーアセンブリが作動位置に位置付けされているときには、シューブロックはガイドチャネル中に位置付けされる。フェンダーアセンブリがアクセス位置に位置付けされるときには、シューブロックはガイドチャネルから離間させられる。
【００２８】
【発明を実施するための最良の形態】
以下本発明の実施形態を図面を参照して説明するが、本発明は図面に示された実施形態に限定されるものではなく、特許請求の範囲の各請求項により定義された本発明の範囲内の全ての変形例、均等物及び代替物を含むものである。
【００２９】
図１及び図２を参照すると、例えばホイールローダのような作業機械１０が示されている。ホイールローダ１０は左側フェンダーアセンブリ１２と、右側フェンダーアセンブリ１４を含んでいる。
【００３０】
フェンダーアセンブリ１２，１４は、ホイールローダ１０が走行中に一対の車輪１６，１８からの泥、土、あるいは他の型の破片が投げ出されるのを防止するために設けられている。
【００３１】
フェンダーアセンブリ１２，１４はそれぞれ一対のヒンジアセンブリ２２，２４によりホイールローダ１０のフレーム部分２０に固定されている。ヒンジアセンブリ２２，２４は、ホイールローダ１０のフレーム部分２０に対してフェンダーアセンブリ１２，１４が回動するのを許容する。
【００３２】
フェンダーアセンブリ１２，１４は、（例えば図２の右側フェンダーアセンブリ１４で示されているように）作動位置と、（例えば図２の左側フェンダーアセンブリ１２で示されているように）アクセス位置との間で位置付け可能である。
【００３３】
ホイールローダ１０の作動中には、フェンダーアセンブリ１２，１４は作動位置に位置付けされ、修理等のメンテナンスの間には保守要員がホイールローダ１０に関連している数多くの機械部品にアクセス可能なように、フェンダーアセンブリ１２，１４はアクセス位置に位置付け可能であることに注意すべきである。
【００３４】
各フェンダーアセンブリ１２，１４は上部フェンダーパネル２８及び下部フェンダーパネル３０（図５参照）を有するフェンダーボディ２６を含んでいる。各フェンダーパネル２８，３０は、例えばグラスファイバ補強樹脂のような非金属物質から好ましくはモールド成型される。
【００３５】
上部フェンダーパネル２８はその上側に画成されたラッチ凹部（リセス）３２を有している。ラッチアセンブリ３４が図３に示されるようにラッチ凹部３２中に配置されている。
【００３６】
ラッチアセンブリ３４はキャッチ部材３６と、取付プレート３８と、フック部材４０と、スプリング４２を含んでいる。キャッチ部材３６は実質上Ｕ字形状をしており、図３及び図４に示すように受け入れスロット４４を有している。
【００３７】
キャッチ部材３６は好ましくは取付プレート３８に溶接されており、取付プレート３８は例えばボルト（図５参照）のような一対の締結具４６によりフェンダーボディ２８に固定されている。図２に示すように、ラッチアセンブリ３４をカバーするため即ち保護するために、凹部カバー３３が上部フェンダーパネル２８に固定可能である。
【００３８】
フック部材４０は保持アーム４８と、スプリングアーム５０と、アクチュエータアーム５２を含んでいる。保持アーム４８は、フック部材４０が図３に示されるようにロック位置に位置付けされたときには、受け入れスロット４４の開放端部が閉鎖されるような形状をしている。フック部材４０はまた、受け入れスロット４４を邪魔しないように保持アーム４８が位置付けされている解放位置に位置付けされる。
【００３９】
フック部材４０はピン５４によりキャッチ部材３６中に回動可能に取り付けられている。故に、フック部材４０は、保持アーム４８が図３に示される矢印５６方向に強制的に移動されてフック部材４０をロック位置に位置付けするように、ピン５４周りに回動される。
【００４０】
もしくは、フック部材４０は、保持アーム４８が図３に示される矢印５８方向に強制的に移動されてフック部材４０を解放位置に位置付けするように、ピン５４周りに回動される。
【００４１】
取付プレート３８にはスプリングタブ６０が固定されている。スプリング４２の第１端部はスプリングタブ６０に固定され、スプリング４２の第２端部はフック部材４０のスプリングアーム５０に固定されている。
【００４２】
スプリング４２の付勢力がスプリングアーム５０を矢印５８方向に強制的に移動させて、保持アーム４８が矢印５６方向に強制的に移動されるように、フック部材４０がピン５４周りに回転することに注意されたい。上述したように、保持アーム４８の矢印５６方向の動きがフック部材４０をロック位置に位置付けさせる。
【００４３】
各フェンダーアセンブリ１２，１４はアクチュエータ、即ちロッド６２を含んでいる。ロッド６２はフェンダーボディ２６のユーザ側位置６４からラッチ側位置６６まで伸長し、フック部材４０をロック位置と解放位置との間で選択的に移動させるように設けられている。
【００４４】
上部フェンダーパネル２８はその上側に画成されたユーザ凹部６８（図６参照）を有している。更に、上部フェンダーパネル２８はユーザ側開口７０及びラッチ側開口７２を有している。
【００４５】
図６及び図３にそれぞれ示されるように、ユーザ側開口はユーザ凹部６８中に配置され、ラッチ側開口７２はラッチ凹部３２中に配置されている。ロッド６２のラッチ端部分７４はラッチ側開口７２を通して受け入れられて、フック部材４０のアクチュエータアーム５２に固定されており、ロッド６２のユーザ端部分７６はユーザ側開口７０を通して受け入れられている。
【００４６】
ロッド６２の中間部分７８はユーザ側開口７０とラッチ側開口７２の間に伸長して、フェンダーボディ２６のアクチュエータ室８０中に位置付けされている（図３参照）。アクチュエータ室８０は上部フェンダーパネル２８と下部フェンダーパネル３０との間の領域により画成されることに注意されたい。
【００４７】
故に、下部フェンダーパネル３０はロッド６２の中間部分７８と車輪１６，１８の間に位置付けされて、車輪１６，１８から投げ出された泥、土、あるいは他の型の破片がロッド６２の中間部分７８に接触するのを防止する。
【００４８】
上部フェンダーパネル２８と下部フェンダーパネル３０との間の領域がフェンダーボディ２６中に複数のリブを画成して、フェンダーアセンブリ１２，１４の構造的剛性を増強していることに注意されたい。
【００４９】
図６に示されているように、上部フェンダーパネル２８は更に把持凹部８４を有している。オペレータは指８６を把持凹部８４中に入れる一方、親指８８をロッド６２のユーザ端部７６に置く。故に、ユーザが親指８８でロッド６２のユーザ端部７６を押すと、ロッド６２は図３の矢印８２方向に強制的に移動される。
【００５０】
ロッド６２が矢印８２方向に移動されると、フック部材４０のアクチュエータアーム５２も矢印８２方向に強制的に移動され、保持アーム４８が矢印５８方向に強制的に移動されてフック部材４０を解放位置に位置付けするように、フック部材４０をピン５２周りに回動させる。
【００５１】
オペレータがロッド６２のユーザ端部７６を離すと、スプリング４２により発生された付勢力はフック部材４０のスプリングアーム５０を図３の矢印５８方向に強制的に移動させ、これによりフック部材４０をピン５２周りに回転させる。
【００５２】
フック部材４０がこのように回転すると、（１）保持部材４８が矢印５６方向に強制的に移動されてフック部材４０をロック位置に位置付けすると共に、（２）アクチュエータアーム５２を図３の矢印９０方向に強制的に移動させて、これによりロッド６２を元の位置に強制的に復帰させる。
【００５３】
各フェンダーアセンブリ１２，１４は更に、図２に示されるように一対のガイド部材９２，９４をそれぞれ含んでいる。ガイド部材９２，９４は例えばボルトのような複数の締結具１００（図５参照）を介してホイールローダ１０に関連した一対の構造部材９６，９８にそれぞれ固定される。
【００５４】
各ガイド部材９２，９４は図４に示されるようにブラケット１０８を有している。ブラケット１０８にはロックピン１１０が取り付けられている。ロックピン１１０はフェンダーアセンブリ１２，１４を構造部材９６，９８に固定するために、キャッチ部材３６の受け入れスロット４４中に位置付け可能である。
【００５５】
ロックピン１１０がキャッチ部材３６の受け入れスロット４４中に位置付けされ、フック部材４０が保持アーム４８が受け入れスロット４４の開放端を邪魔するようにそのロック位置に位置付けされると、フェンダーアセンブリ１２，１４はそれぞれ構造部材９６，９８に固定されて、各々作動位置に位置付けされる。
【００５６】
もしくは、（１）ロックピン１１０が受け入れスロット４４中に位置付けされないか、あるいは（２）フック部材４０がその解放位置に位置付けされたなら、フェンダーアセンブリ１２，１４は構造部材９６，９８に対して自由に回動し、これによりフェンダーアセンブリ１２，１４がアクセス位置をとることを許容する。
【００５７】
ガイド部材９２，９４は、フェンダーアセンブリ１２，１４がアクセス位置から作動位置に移動するときに、フェンダーアセンブリ１２，１４をガイドする。各ガイド部材９２，９４はガイドチャネル（溝）１０６を有している（図４参照）。
【００５８】
各フェンダーアセンブリ１２，１４の上部フェンダーパネル２８はシュー凹部１０２を有している（図５参照）。シューブロック１０４がシュー凹部１０２中でフェンダーボディ２６に固定されている。シューブロック１０４はナイロン等の適当な耐磨耗物質から形成されることに注意されたい。
【００５９】
フェンダーアセンブリ１２，１４がアクセス位置から作動位置に移動されるように、フェンダーアセンブリ１２，１４が回動されると、シューブロック１０４がガイド部材９２，９４のガイドチャネル１０６中に受け入れられ、これによりガイドピン１００をフェンダーアセンブリ１２，１４の受け入れスロット４４に整列させる。
【００６０】
走行保護を提供するために、バンパー１１２が各ブラケット１０８に固定されている（図４及び図５参照）。バンパー１１２は例えばゴムのような圧縮可能なエラストマー物質から形成されるのが好ましい。
【００６１】
更に、フェンダーアセンブリ１２，１４が作動位置に位置付けされているときにバンパー１１２がフェンダーボディ２６にわずかばかりの付勢力を発生して、これによりロックピン１１０をフック部材４０の保持アーム４８と強制的に接触させるように、バンパー１１２の長さが調整されている。
【００６２】
このような付勢力はフェンダーアセンブリ１２，１４の剛性を増強し、これにより作業機械１０の作動中にフェンダーアセンブリ１２，１４の飛び跳ね及びガタガタ鳴る音を減少させる。
【００６３】
【産業上の利用可能性】
作用について説明すると、フェンダーアセンブリ１２，１４を作動位置からアクセス位置に移動するためには、オペレータは指８６を把持凹部８２中に入れ、親指８８をロッド６２のユーザ端部７６に置くようにする。
【００６４】
その後、オペレータは親指８８でロッド６２のユーザ端部７６を押して内側方向に強制的に移動させ、これによりロッド６２を図３の矢印８２で示された方向に強制的に移動する。
【００６５】
ロッド６２が矢印８２方向に移動されると、フック部材４０のアクチュエータアーム５２も同様に矢印８２方向に移動されて、保持アーム４８が矢印５８方向に移動されるようにフック部材４０をピン５２周りに回動して、フック部材４０を解放位置に位置付けする。
【００６６】
その後、オペレータはフェンダーアセンブリ１２，１４のフェンダーボディ２６を構造部材９６，９８に対して外側方向に引き、これによりロックピン１１０をキャッチ部材３６の受け入れスロット４４から抜け出させる。オペレータはフェンダーアセンブリ１２，１４がアクセス位置に位置付けされるまで引き続いてフェンダーボディ２６を引っ張る。
【００６７】
フェンダーアセンブリ１２，１４をその作動位置に復帰させるためには、オペレータはフェンダーボディ２６を構造部材９６，９８方向に押し動かす。シューブロック１０４がガイド部材９２，９４のガイドチャネル１０６中にそれぞれ受け入れられると、ロックピン１１０がキャッチ部材３６の受け入れスロット４４と整列する。
【００６８】
一旦整列すると、ロックピン１１０はフック部材４０の保持アーム４８と接触し、これにより保持アーム４８を図３の矢印５８方向に移動させて、フック部材４０を解放位置に位置付けする。
【００６９】
ロックピン１１０が受け入れスロット４４中を保持アーム４８を越える位置まで前進すると、スプリング４２により発生された付勢力がフック部材４０のスプリングアーム５０を図３の矢印５８方向に強制的に移動して、これによりフック部材４０をピン５２周りに回転させる。
【００７０】
保持部材４０がこのように回転されると、（１）保持アーム４８は矢印５６方向に強制的に移動されてフック部材４０をロック位置に位置付けし、また（２）アクチュエータアーム５２を図３の矢印９０方向に強制的に移動して、これによりロッド６２をその元の位置に復帰させる。
【００７１】
以上本発明を図面に示した実施形態に基づいて説明してきたが、このような説明は例示的であり、本発明の精神の範囲内に入る全ての変更及び修正は本発明の保護範囲内である。
【図面の簡単な説明】
【図１】本発明の特徴を具備した作業機械の一部側面図である。
【図２】図１に示した作業機械の平面図であり、左側フェンダーアセンブリがアクセス位置に位置付けされ、右側フェンダーアセンブリが作動位置に位置付けされているところが示されている（左側フェンダーアセンブリの凹部カバーは取り外された状態で示されている）。
【図３】図１の作業機械の右側フェンダーアセンブリの拡大図である（明瞭化のために上部フェンダーパネルの一部分が破断されている）。
【図４】図１の作業機械のフェンダーアセンブリの上側の拡大斜視図であり、シューブロックがガイド部材中に受け入れられたところが示されている。
【図５】フェンダーアセンブリがロック位置の状態にある底面側拡大斜視図である。
【図６】図１に示された作業機械のフェンダーアセンブリのラッチ機構を作動するための手の位置を示す斜視図である。
【符号の説明】
１０  作業機械
１２  左側フェンダーアセンブリ
１４  右側フェンダーアセンブリ
１６，１８  車輪
２６  フェンダーボディ
２８  上部フェンダーパネル
３０  下部フェンダーパネル
３４  ラッチアセンブリ
４０  フック部材
【図１】
0004195135.tif 000002
【図２】
0004195135.tif 000003
【図３】
0004195135.tif 000004
【図４】
0004195135.tif 000005
【図５】
0004195135.tif 000006
【図６】
0004195135.tif 000007